(57)【要約】【課題】乗員に不快な思いをさせずに外部給電中のバッテリーの電力消費を抑制する。【解決手段】電動車両で車室内の温度の調整中（空調中）に外部給電が開始されたことを検出した場合には、車室内の空調を中断する。そして、その状態で、乗員が乗り込んでくるなどして車室内で乗員が検出された場合には、中断していた空調を再開する。こうすれば、外部給電中は空調が中断されるので、バッテリーの電力消費を抑制することができる。また、乗員が乗り込んでくるなどして乗員が検出されると、中断していた空調が再開される。このため、たとえ、室内温度が高くなっていた場合でも、しばらく待っていれば温度が下がると考えて、乗員が不快に感じることがない。【選択図】図２
2015231285.tif 000002
【特許請求の範囲】
【請求項１】
バッテリー（１０）に蓄えられた電力を用いて走行する走行機能と、車室内温度を調整する空調機能とを有する電動車両（１）であって、
前記バッテリーの電力を変換して、前記電動車両の外部の電気機器（６０）に外部供給する外部給電部（３０）と、
前記バッテリーの電力を用いて前記電動車両の車室内温度を調節する空調部（２０）と、
前記電動車両の車室内での乗員を検出する乗員検出部（５１、５２、５３、５４）と、
前記外部給電部および前記空調部の動作を制御する制御部（４０）と
を備え、
前記制御部は、前記空調部の動作中に前記外部給電が開始された場合には、該空調部の動作を中断し、該空調部の動作の中断中に前記乗員検出部が前記乗員を検出した場合には、前記空調部の動作を再開する制御部である
電動車両。
【請求項２】
バッテリー（１０）に蓄えられた電力を用いて走行する走行モーター（１１）と、車室内温度を調整する空調機（２０）とを有する電動車両（１）に搭載されて、該バッテリーの電力を該電動車両の外部の電気機器に外部供給する外部給電装置（２）であって、
前記バッテリーの電力を変換して、前記電動車両の外部の電気機器（６０）に外部供給する外部給電部（３０）と、
前記電動車両の車室内での乗員を検出する乗員検出部（５１、５２、５３、５４）と、
前記外部給電部および前記空調機の動作を制御する制御部（４０）と
を備え、
前記制御部は、前記空調機の動作中に前記外部給電が開始された場合には、該空調機の動作を中断し、該空調機の動作の中断中に前記乗員検出部が前記乗員を検出した場合には、前記空調機の動作を再開する制御部である
外部給電装置。
【発明の詳細な説明】
【技術分野】
【０００１】
本発明は、車載バッテリーから外部の電気機器へ外部給電する技術に関する。
【背景技術】
【０００２】
今日では、いわゆる電気自動車やハイブリッド車両などのように、電気エネルギーを用いて走行可能な電動車両が市場に供給されるようになってきた。これらの電動車両には、電気エネルギーを蓄えるために大容量の車載バッテリーが搭載されていることが通常である。そこで、車載バッテリーの電力を商用の交流電源に変換する電力変換機を搭載することで、変換した電力を車外に供給するための接続端子（コンセントなど）を備えた電動車両が開発されている。（特許文献１）。このような車両では、例えば、車両に乗りキャンプ場へ出かけた場合に、車両の接続端子に各種の電気機器（例えば、ステレオ）のプラグを接続することで、屋外でも電気機器を使用することができる。
【０００３】
また、車外で各種の電気機器を使用している時に、車室内での温度を制御するために空調装置（以下、エアコン）を動作させていると車載バッテリーの電力消費が大きくなる。そこで、エアコンの動作中に車外の電気機器（以下、車外電気機器）への電力供給を開始すると、エアコンを停止させることも行われている。車外電気機器は電力供給する場合に、乗員が車外に出て車外電気機器の電気プラグを接続端子に接続するため、エアコンを停止させても、乗員に不快な思いをさせることなく車載バッテリーの電力消費を抑制できるものと考えられる。
【先行技術文献】
【特許文献】
【０００４】
【特許文献１】特開２０１２−０１６１９７号公報
【発明の概要】
【発明が解決しようとする課題】
【０００５】
しかし、上述した従来の技術では、車外に出ていた乗員が車内に戻ってきた場合に、エアコンが止まっているので乗員に不快な思いをさせてしまうという問題があった。また、車外電気機器を使用するために乗員が車外に出た時に、他の乗員が車内に残っていた場合にもエアコンが止まってしまうと不快な思いをさせてしまうという問題があった。
【０００６】
この発明は、従来技術が有する上述した課題に鑑みてなされたものであり、車外電気機器が使用された場合に、できるだけ乗員に不快な思いをさせることなく、車載バッテリーの電力消費を抑制することが可能な技術の提供を目的とする。
【課題を解決するための手段】
【０００７】
上述した課題を解決するために本発明の電動車両および外部給電装置では、車室内の温度の調整中（空調中）に外部給電が開始されたことを検出した場合には、車室内の空調を中断する。そして、その状態で、乗員が乗り込んでくるなどして車室内で乗員が検出された場合には、中断していた空調を再開する。
【０００８】
こうすれば、外部給電中は空調が中断されるので、バッテリーの電力消費を抑制することができる。また、乗員が乗り込んでくるなどして乗員が検出されると、中断していた空調が再開される。このため、たとえ、室内温度が高くなっていた場合でも、しばらく待っていれば温度が下がると考えて、乗員が不快に感じることがない。
【図面の簡単な説明】
【０００９】
【図１】本実施例の外部給電装置２を備えた車両１の大まかな構成を示す説明図である。
【図２】制御装置４０が実行する外部給電時エアコン駆動処理のフローチャートである。
【図３】外部給電時エアコン駆動処理時の、制御装置４０の指令により動作する外部給電部３０と、エアコン２０との動作を示した説明図である。
【図４】乗員を検知する各種センサーを例示した説明図である。
【発明を実施するための形態】
【００１０】
以下では、上述した本願発明の内容を明確にするために実施例について説明する。
図１には本実施例の外部給電装置２を備えた車両１の大まかな構成が示されている。図示されるように、車両１はバッテリー１０や、エアコン２０、外部給電部３０、制御装置４０、ドアセンサー５１を備えており、外部給電部３０はインバーター３１と給電端子３２とを備えている。また、本実施例の外部給電装置２は、外部給電部３０や、制御装置４０、ドアセンサー５１を備えている。
尚、本実施例では、エアコン２０が本発明の「空調部」あるいは「空調機」に該当し、ドアセンサー５１が本発明の「乗員検出部」に該当する。更に、本実施例の制御装置４０は、本発明の「制御部」に該当する。
【００１１】
本実施例の車両１は、いわゆる電気自動車やハイブリット車両などのように、走行モーター１１を搭載して、電気エネルギーを用いて走行することができる電動車両である。電動車両は、ガソリンや、軽油を利用するエンジンで走行する車両と比較して、大きな容量のバッテリー１０を搭載している。バッテリー１０はエアコン２０に電力を供給しており、エアコン２０は電力の供給が開始されることで車内の温度の調節を開始することができる。エアコン２０の動作は制御装置４０により制御されており、動作の状況が制御装置４０によってモニターされている。
【００１２】
バッテリー１０はインバーター３１にも電力を供給しており、インバーター３１はバッテリー１０から出力される直流電流を交流電流に変換して給電端子３２に供給する。インバーター３１の動作も制御装置４０が制御しており、動作の状況は制御装置４０によってモニターされている。
さらに、制御装置４０はドアセンサー５１と接続されており、ドアの開閉状態を検知することによって車室内に乗員が載ってきたことを検知することができる。
【００１３】
エアコン２０と外部給電部３０とが同時に起動すると、バッテリー１０の消費電力が大きくなる。その結果、バッテリー１０の電力消費量が大きくなるだけではなく、既定の電力を車外電気機器６０に供給することが困難となる場合もある。こうした事態を避けるために、従来はエアコン２０の動作中に外部給電部３０を介して外部給電が開始された場合には、エアコン２０の動作を停止させていた。しかし、これでは前述したようにエアコン２０の停止後に人が乗車した場合などには乗員に不快な思いを与えてしまう。そこで、本実施例の制御装置４０は次のような処理を行う。
【００１４】
図２には、本実施例の制御装置４０が外部給電時にエアコンの動作を制御する処理（外部給電時エアコン駆動処理）のフローチャートが示されている。
図示されるように、外部給電時エアコン駆動処理では、先ず始めにエアコン２０が動作しているかどうかを確認する（Ｓ１０）。前述したように、エアコン２０は制御装置４０の制御の下で動作を開始し、さらに、動作中は制御装置４０によってモニターされている。（図３（ａ）参照）従って、制御装置４０は、エアコン２０が動作しているかどうかを容易に確認することができる。
【００１５】
エアコン２０が動作中でない場合は（Ｓ１０：ｎｏ）、そのまま外部給電時エアコン駆動処理を終了する。これに対して、エアコン２０が動作中であった場合は（Ｓ１０：ｙｅｓ）、次に、外部給電部３０が車外電気機器６０に外部給電を開始したか否か確認する（Ｓ２０）。
外部給電がされていない場合は（Ｓ２０：ｎｏ）、エアコン２０の動作を停止するか否かを判断し（Ｓ７０）、エアコン２０を停止しない場合は（Ｓ７０：ｎｏ）、エアコン２０を動作させたまま、再び外部給電を開始するか否かを判断する（Ｓ２０）。
一方、エアコン２０の動作中に外部給電が開始された場合は（Ｓ２０：ｙｅｓ）、制御装置４０はエアコンの給電を停止する（Ｓ３０）。図３（ｂ）には、制御装置４０が外部給電を確認してエアコン２０の動作を停止する様子が示されている。
【００１６】
その後、ドアセンサー５１の信号を検出して、エアコン２０の停止後に車内に人が入ってきたかどうかを判断する。（Ｓ４０）。ドアセンサー５１の信号からドアが閉状態から開状態になった場合には人が乗車してきたものと判断することができる。
そして、ドアセンサー５１の信号で人が乗車してきたと判断した場合は（Ｓ４０：ｙｅｓ）、エアコン２０の動作を再開させる（Ｓ６０）。図３（ｃ）には、外部給電中に制御装置４０がドアセンサー５１の信号を検知してエアコン２０を動作させる様子が示されている。
【００１７】
一方、人が乗車してきたと判断しなかった場合は（Ｓ４０：ｎｏ）、外部給電部３０が外部給電をしているか判断する（Ｓ５０）。外部給電をしている場合は（Ｓ５０：ｙｅｓ）、車内に人が乗車してきたかどうかの判断に戻り（Ｓ４０）、続く上述した処理を繰り返す。また、人が乗車してきたと判断されないまま外部給電が終了した場合は（Ｓ５０：ｎｏ）、エアコン２０の動作を停止するか否かを判断する（Ｓ７０）。
【００１８】
上述したように、外部給電を開始しなかった場合（Ｓ２０：ｎｏ）、または、人が乗車してきたことが確認されずに外部給電が終了した場合は（Ｓ５０：ｎｏ）、エアコン２０の動作を停止するか否かを判断する（Ｓ７０）。同様に、人の乗車を検知した場合は（Ｓ４０：ｙｅｓ）、エアコンの動作を再開し（Ｓ６０）、エアコンの動作を停止するか否かを判断する（Ｓ７０）。
エアコン２０を停止しない場合は（Ｓ７０：ｎｏ）、エアコン２０を動作させたまま、再び外部給電を開始するか否かの判断に戻り（Ｓ２０）、続く上述した処理を繰り返す。エアコンの動作を停止する場合は（Ｓ７０：ｙｅｓ）、給電を停止して外部給電時エアコン駆動処理を終了する。
【００１９】
以上に説明したように、本実施例によれば、制御装置４０はドアセンサー５１の信号を受信し、人の乗車を検知することができるので、乗員がいる場合にエアコン２０の動作を再開させることができる。
尚、以上の説明ではドアセンサー５１の信号に基づいて、人が乗車してきたことを検知するものとして説明した、しかし、車室内の乗員を検知できるセンサーであればどのようなセンサーを用いてもよい。
【００２０】
図４には車室内の乗員を検知するための各種センサーが例示されている。人が乗車する際にはドア３が解放されるので、それに伴って車内温度が変化する。例えば、車外温度が室内温度よりも低い場合には、人の乗車に伴って車室内温度が急に低下する。逆に、車外温度が室内温度よりも高い場合には、人の乗車に伴って車室内温度が急に上昇する。
従って、温度センサー５２をドア３の開閉部付近などに設置して温度変化を検出し、例えば一定時間内に一定以上の温度変化を検知した場合には、人が乗車してきたものと判断することができる。
【００２１】
また、着座センサー５３を座席４の下に設置しておけば、乗員が椅子に座っていることを検知することができる。従って、着座センサー５３で検出した荷重が一定値以上である場合には、人が乗車しているものと判断することができる。あるいは、着座センサー５３で検出した荷重が一定値以上に急増した場合には、人が乗車してきたものと判断することができる。して、人が乗車していることを判断できる。
さらに、赤外線センサー５４を車室内の例えば天井付近に設置しておけば、人体から放射される赤外線を検知することができる。従って、人体からの赤外線を赤外線センサー５４で検出した場合には、人が乗車しているものと判断することができる。あるいは、赤外線センサー５４で検出した赤外線が急増した場合には、人が乗車してきたものと判断することができる。
【００２２】
以上、実施例について説明したが、本発明は上記の実施例に限られるものではなく、その要旨を逸脱しない範囲において種々の態様で実施することができる。例えば、上述したこれらのセンサーを、単体、もしくは複合して使用することで乗員を検知し、実施することができる。
【符号の説明】
【００２３】
１…車両、                ２…外部給電装置、      １０…バッテリー、
１１…走行モーター、      ２０…エアコン、        ３０…外部給電部、
３１…インバーター、      ３２…給電端子、        ４０…制御装置、
５１…ドアセンサー、      ５２…温度センサー、    ５３…着座センサー、
５４…赤外線センサー、    ６０…車外電気機器。
【図１】
2015231285.tif 000003
【図２】
2015231285.tif 000004
【図３】
2015231285.tif 000005
【図４】
2015231285.tif 000006